(57)【特許請求の範囲】
【請求項１】
スピーカーボックスの正面と背面にクッション材を貼着し、このクッション材を介してスピーカーボックスを、液晶テレビに内装された液晶表示モジュールのリアフレームと液晶テレビのリアキャビネットにより前後から挟持して固定し、
スピーカーボックスは、スピーカーボックスに含まれるコーンを露出させるための円形開口部を含み、円形開口部の外縁部が、リアキャビネットから後方に突出するように設けられた開口部を有する凹状の嵌合部分に嵌め込まれるように構成されていることを特徴とする液晶テレビのスピーカー固定構造。
【請求項２】
スピーカーボックスの両側部に突起挿入部を形成し、液晶表示モジュールのリアフレームに形成した位置決め突起を突起挿入部に挿入すると共に、突起挿入部と位置決め突起の間に筒状緩衝材を設けて、スピーカーの位置決めをしたことを特徴とする請求項１に記載のスピーカー固定構造。
【請求項３】
リアキャビネットの内面に突設した十字形リブを、スピーカーボックスの正面に貼着されたクッション材に近接させたことを特徴とする請求項１又は請求項２に記載のスピーカー固定構造。
【請求項４】
スピーカーボックスの正面と背面とのクッション材は、スピーカーを挟む位置に貼り付けられた一対のクッション材であり、正面の一対のクッション材は左右に張り付けられ、背面の一対のクッション材は上下に張り付けられており、
リアキャビネットの内面に設けた凸リブを、スピーカーボックスの正面に貼着されたクッション材に食い込ませたことを特徴とする請求項１ないし請求項３のいずれか１項に記載のスピーカー固定構造。
【発明の詳細な説明】
【技術分野】
【０００１】
本発明は液晶テレビのスピーカー固定構造に関し、更に詳しくは、スピーカーの振動に起因する液晶テレビの各部の「ビビリ音」を防止できるスピーカー固定構造に関する。
【背景技術】
【０００２】
従来の液晶テレビのスピーカーは、液晶テレビのキャビネットや液晶テレビ内部の液晶表示モジュールにビスで強固に固定されるものが多い。けれども、スピーカーをビスで強固に固定すると、スピーカーの振動がキャビネットや液晶表示モジュールに直に伝わるため、いわゆる「ビビリ音」が発生し易くなるという問題があり、また、ビスによる固定作業が面倒で、ビス代も高くつくという問題あった。
【０００３】
一方、スピーカーユニットを壁面パネルとスピーカー取付部の間に配置し、スピーカーユニットの固定用金具をスピーカー取付部のビス固定部にビスで固定し、固定用金具のＵ字状屈曲部の付勢力でスピーカーユニットを壁面パネルに押付けると共に、Ｕ字状屈曲部のバネ性によって振動を吸収するようにしたスピーカーユニットが提案されている（特許文献１）
【０００４】
また、キャビネット内面の支持部の外側に固定部材の保持部を形成し、断面コ字状の固定部材を保持部に保持させ、支持部にクッション材を介してスピーカーを載置し、スピーカーの取付フランジを固定部にビスで固定して、断面コ字状の固定部の弾性によりスピーカーのビビリ音の発生を防止するようにした音響装置も提案されている（特許文献２）。
【０００５】
また、スピーカーユニット前部の被支持部と前筐体の支持部との間に前部緩衝材を配置すると共に、スピーカーユニットの後部と後筐体の後壁面との間に後部緩衝材を配置し、前筐体と後筐体を締結部でネジにより締結して、スピーカーユニットから筐体に伝わる不要な振動を緩衝材で減衰するようにしたスピーカーユニットの取付け構造も提案されている（特許文献３）。
【０００６】
また、スピーカーの取付け部分の上面と下面に、二つ折りしたゴム部材の第一の片と第二の片を重ね、この取付け部分を前面キャビネットの裏面の受けボスに載置してビスで固定し、ゴム部材によってスピーカーの振動がキャビネットに伝わるのを防止したスピーカーの取付構造も知られている（特許文献４）。
【０００７】
また、スピーカーケースの両側面に設けた固定用突出部に筒状弾性体を嵌合し、装置の第一のパネルに設けた棒状部材を筒状弾性体に挿入し、装置の第二のパネルに設けた筒状部材に棒状部材を挿入して、筒状弾性体を第一のパネルと第二のパネルで挟み込んだスピーカー固定構造も知られている（特許文献５）。
【先行技術文献】
【特許文献】
【０００８】
【特許文献１】特開２０１０−９３５９３号公報
【特許文献２】特開２００９−１００２４８号公報
【特許文献３】特開２００９−１６９４６号公報
【特許文献４】特開２００８−２５８７５４号公報
【特許文献５】特開２００８−２４４９０８号公報
【発明の概要】
【発明が解決しようとする課題】
【０００９】
しかしながら、前記特許文献１，２，４のスピーカー固定構造はいずれも、ビスやネジを用いてスピーカーをテレビのキャビネット等に固定するものであるから、スピーカーの固定作業が面倒でビス代やネジ代も高くつくという問題が依然として残っている。
【００１０】
また、前記特許文献５のスピーカー固定構造は、ビス等を使用しないので上記の問題は一応解決されるが、スピーカーケース両側面の固定用突出部に嵌合した筒状弾性体のみでスピーカーの振動を吸収するため、ビビリ音の防止が不充分になる心配があり、筒状部材に棒状部材を挿入する作業も位置合わせがし辛いので容易ではない。
【００１１】
また、前記特許文献３のスピーカー固定構造は、前筐体と後筐体との間にスピーカーユニットと緩衝材を挟んで、前筐体と後筐体を締結部でネジで締結することにより、スピーカーユニットの振動が筐体に伝わりにくい箱形スピーカーそれ自体を組み立てるものであり、スピーカーをテレビのキャビネット等に固定するものではない。
【００１２】
本発明は上記事情の下になされたもので、その解決しようとする課題は、ネジやビスが不要でスピーカーを簡単かつ確実に固定でき、しかも、スピーカーの振動がキャビネットや液晶表示モジュールに殆ど伝わらないように吸収、減衰されるため、いわゆる「ビビリ音」の発生を十分防止することができる、液晶テレビのスピーカー固定構造を提供することにある。
【課題を解決するための手段】
【００１３】
上記課題を解決するため、本発明に係る液晶テレビのスピーカー固定構造は、スピーカーボックスの正面と背面にクッション材を貼着し、このクッション材を介してスピーカーボックスを、液晶テレビに内装された液晶表示モジュールのリアフレームと液晶テレビの
リアキャビネットにより前後から挟持して固定し、スピーカーボックスは、スピーカーボックスに含まれるコーンを露出させるための円形開口部を含み、円形開口部の外縁部が、リアキャビネットから後方に突出するように設けられた開口部を有する凹状の嵌合部分に嵌め込まれるように構成されていることを特徴とするものである。
【００１４】
本発明のスピーカー固定構造にあっては、スピーカーボックスの両側部に突起挿入部を形成し、液晶表示モジュールのリアフレームに形成した位置決め突起を突起挿入部に挿入すると共に、突起挿入部と位置決め突起の間に筒状緩衝材を設けて、スピーカーの位置決めをすることが好ましい。
【００１５】
そして、リアキャビネットの内面に突設した十字形リブを、スピーカーボックスの正面に貼着されたクッション材に近接させることが好ましく、また、スピーカーボックスの正面と背面とのクッション材は、スピーカーを挟む位置に貼り付けられた一対のクッション材であり、正面の一対のクッション材は左右に張り付けられ、背面の一対のクッション材は上下に張り付けられており、リアキャビネットの内面に設けた凸リブを、スピーカーボックスの正面に貼着されたクッション材に食い込ませることも好ましい。
【発明の効果】
【００１６】
本発明のスピーカー固定構造では、スピーカーボックスの正面と背面に貼着されたクッション材によって、スピーカーの振動が液晶表示モジュールのリアフレームと液晶テレビのリアキャビネットに殆ど伝わらないように吸収、減衰されるので、スピーカーの振動に起因するいわゆる「ビビリ音」の発生を十分防止することができる。しかも、このクッション材を介してスピーカーボックスを、液晶表示モジュールのリアフレームと液晶テレビのリアキャビネットで前後から挟持、固定してビスやネジを不要としているため、ビス等の部品代を節約でき、面倒なビス止め作業を省略して効率良くスピーカーの固定作業を行うことができる。また、本発明のスピーカー固定構造のように、スピーカーの振動に起因するビビリ音が防止されると、不織布などの緩衝材をビビリ音の発生箇所に取付けることが不要となり、ビビリ音の検討に要する時間も短縮されるので、設計効率が向上する利点もある。
【００１７】
本発明のスピーカー固定構造において、スピーカーボックス両側部の突起挿入部に、液晶表示モジュールのリアフレームに形成された位置決め突起を挿入し、突起挿入部と位置決め突起の間に筒状緩衝材を設けてスピーカーの位置決めをしたものは、衝撃などを受けてもスピーカーの位置ずれを生じることがなく、しかも、筒状緩衝材によってスピーカーの振動がリアフレームに伝わらないように吸収されるので、ビビリ音が生じる心配もない。
【００１８】
また、本発明のスピーカー固定構造において、リアキャビネットの内面に突設した十字形リブを、スピーカーボックスの正面に貼着されたクッション材に近接させたものは、大きい衝撃を受けて上記位置決め突起が上記突起挿入部から万一抜出すような場合があったとしても、十字形リブによってスピーカーボックス正面のクッション材を支持してスピーカーの位置ずれを防止することができる。
【００１９】
更に、本発明のスピーカー固定構造において、リアキャビネットの内面に設けた凸リブを、スピーカーボックスの正面に貼着されたクッション材に食い込ませたものは、このクッション材に食い込んだ凸リブによって、リアキャビネットに対するスピーカーの位置ずれをより確実に防止できる利点がある。
【図面の簡単な説明】
【００２０】
【図１】本発明の一実施形態に係るスピーカー固定構造を採用してスピーカーを内部に固定した液晶テレビを示す背面図である。
【図２】図１のＡ−Ａ線に沿った概略断面図である。
【図３】スピーカーを固定した部分の分解図である。
【図４】スピーカーの正面図である。
【図５】スピーカーの背面図でる。
【図６】液晶テレビのリアキャビネットを内側から見た部分図である。
【発明を実施するための形態】
【００２１】
以下、図面に基づき、本発明の実施形態を詳述する。
【００２２】
この液晶テレビのスピーカー固定構造は、図４，図５に示すような箱形スピーカー１を、図２に示すように液晶テレビ２に内装された液晶表示モジュール３のリアフレーム３ａと液晶テレビ２のリアキャビネット４との間に取付け固定するものであって、本実施形態では、図１に示すように、液晶テレビ２の下部の左右両端近傍箇所において、左右一組のスピーカー１，１を液晶表示モジュール３のリアフレーム３ａとリアキャビネット４との間にそれぞれ取付け固定している。
【００２３】
上記のスピーカー１は、図４に示すように、合成樹脂製の略直方体形状のスピーカーボックス１ａを有する箱形スピーカーであって、このスピーカーボックス１ａの正面１ｂの中央部に形成された円形開口部１ｃにはコーン１ｄが露出しており、図５に示すように、このコーンコーン１ｄを駆動させるマグネット１ｆがスピーカーボックス１ｂの背面１ｅの中央部の穴から突き出している。そして、スピーカーボックス１ａの左右両側部には、後述する位置決め突起を挿入する突起挿入部１ｇ，１ｇが外向きに突設されており、これらの突起挿入部１ｇ，１ｇにゴム弾性体などからなる筒状緩衝材１ｈ，１ｈがそれぞれ嵌着されている。なお、図４，図５において、１ｉはスピーカー１へのリード線を示している。
【００２４】
この箱型スピーカー１のスピーカーボックス１ａの正面１ｂには、左右一対のクッション材５Ａ，５Ａが円形開口部１ｃの左右両側のほぼ対称位置に配置されて接着剤又は粘着剤で貼着されており、また、スピーカーボックス１ａの背面１ｅには、上下一対のクッション材５Ｂ，５Ｂがマグネット１ｆの上下両側のほぼ対称位置に配置されて接着剤又は粘着剤で貼着されている。これらのクッション材５Ａ，５Ｂは、スピーカー１を液晶表示モジュール３のリアフレーム３ａとリアキャビネット４との間に取付け固定したときに、スピーカー１の振動が液晶モジュール３のリアフレーム３ａや液晶テレビのリアキャビネット４に伝わらないように吸収、減衰させる役目を果たすものであり、例えば、厚さ数ｍｍ程度の軟質合成樹脂発泡シートやゴム発泡シートが好ましく使用される。これらの発泡シートは連続気泡を有するものでも、独立気泡を有するものでもよい。
【００２５】
図３に示すように、液晶表示モジュール３のリアフレーム３ａには、スピーカーボックス１ａの両側部の突起挿入部１ｇに対応して、左右一対のピン状もしくはボス状の位置決め突起３ｂが後向きに突設されており、スピーカー１をリアフレーム３ａとリアキャビネット４で前後から挟持して固定すると、この位置決め突起３ｂが、スピーカーボックス１ａ両側部の突起挿入部１ｇに嵌着された筒状緩衝材１ｈに挿入されて、スピーカー１が位置決めされるようになっている。従って、衝撃などを受けてもスピーカー１の位置ずれを生じる虞れがなく、しかも突起挿入部１ｇと位置決め突起３ｂとの間に介在する筒状緩衝材１ｈが、スピーカー１の振動を液晶表示モジュール３のリアフレーム３ａに伝わらないように吸収、減衰するため、ビビリ音が生じる心配もない。
【００２６】
この液晶表示モジュール３は、板金製のリアフレーム３ａの内部にバックライトユニットを設けると共に、その前面側に光学シートを介して液晶表示パネルを設け、四周縁をベゼルで囲んだものであり、リアフレーム３ａのスピーカー固定箇所には、スピーカー１との干渉を避けるために、図３に示すように凹部３ｃが形成されている。なお、この液晶表示モジュール３のリアフレーム３ａの背面には、図２に示すように、メイン基板６が取付けられる。
【００２７】
リアキャビネット４の下部両側のスピーカー取付け部分には、図１，図３，図６に示すように、スピーカー１の露出したコーン１ｄを臨ませて音を放出させる左右一対の開口部４ａ，４ａが、後側に少し膨出して形成されており、それぞれの開口部４ａ，４ａには、外部の障害物からコーン１ｄを防護する防護片４ｂ，４ｂが形成されている。
【００２８】
そして、図６，図３に示すように、リアキャビネット４の内面の上記開口部４ａの左右両側には、横向きの凸リブ４ｃが複数本ずつ形成されており、スピーカー１をリアフレーム３ａとリアキャビネット４で前後から挟持して固定すると、これらの凸リブ４ｃがスピーカーボックス１ａの正面のクッション材５Ａ，５Ａに食い込むようになっている。
【００２９】
また、図６，図３に示すように、リアキャビネット４の内面の上記開口部４ａの左右両側には十字形リブ４ｄ，４ｄが突設されており、スピーカー１をリアフレーム３ａとリアキャビネット４で前後から挟持して固定すると、この十字形リブ４ｄ，４ｄがスピーカーボックス１ａのクッション材５Ａ，５Ａの下端部に近接するようになっている。
【００３０】
この実施形態のスピーカー固定構造は、図２，図３に示すように、箱形スピーカー１のスピーカーボックス１ａのクッション材５Ａが貼着された正面１ｂをリアキャビネット４側に向け、スピーカーボックス１ａのクッション材５Ｂが貼着された背面１ｅを液晶表示モジュール３のリアフレーム３ａ側に向けて、スピーカー１を液晶表示モジュール３のリアフレーム３ａに重ね、リアフレーム３ａの一対の位置決め突起３ｂをスピーカーボックス１ａ両側部の突起挿通部１ｇに嵌着された筒状緩衝材１ｈに挿入してスピーカー１を位置決めすると共に、スピーカーボックス１ａのコーン１ｄを露出させた円形開口部１ｃの口縁部をリアキャビネット４の膨出した開口部４ａに嵌め込みながらリアキャビネット４を後方から重ねて、スピーカー１をリアフレーム３ａとリアキャビネット４とで前後から加圧状態で挟持し、クッション材５Ａ，５Ｂを圧縮状態でリアキャビネット４とリアフレーム３ａにそれぞれ圧接させると共に、リアキャビネット４の凸リブ４ｃをクッション材５Ａに食い込ませ、同時に十字形リブ４ｄをクッション材５Ａに近接させて、スピーカー１を固定したものである。
【００３１】
このようなスピーカー固定構造にすると、スピーカーボックス１ａの正面１ｂと背面１ｅに貼着されたクッション材５Ａ，５Ｂによって、スピーカー１の振動が液晶表示モジュール３のリアフレーム３ａと液晶テレビのリアキャビネット４に殆ど伝わらないように吸収、減衰されるので、スピーカー１の振動に起因する「ビビリ音」の発生を十分防止することができる。しかも、ビスやネジが不要となるため、ビス等の部品代を節約でき、面倒なビス止め作業を省略して効率良くスピーカー１の固定作業を行うことができる。
【００３２】
また、スピーカーボックス１ａ両側部の突起挿入部１ｇに嵌着された筒状緩衝材１ｈに、液晶表示モジュール３のリアフレーム３ａに形成された位置決め突起３ｂを挿入してスピーカー１の位置決めをしているので、衝撃などを受けてもスピーカー１の位置ずれを生じることがなく、筒状緩衝材１ｈによってスピーカーの振動が吸収されるのでビビリ音が生じることもない。
【００３３】
更に、リアキャビネット４の内面の十字形リブ４ｄを、スピーカーボックス１ａの正面１ｂに貼着されたクッション材５Ａに近接させてあるので、大きい衝撃を受けて上記位置決め突起３ｂが上記突起挿入部１ｇから万一外れるような場合があったとしても、十字形リブ４ｄによってクッション材５Ａを支持してスピーカー１の位置ずれを防止することができる。
【００３４】
そして、リアキャビネット４の内面に設けた凸リブ４ｃをスピーカーボックス１ａの正面のクッション材５Ａに食い込ませてあるので、リアキャビネット４に対するスピーカー１の位置ずれをより確実に防止することができる。
【００３５】
また、このスピーカー固定構造のように、スピーカー１の振動に起因するビビリ音が防止されると、不織布などの緩衝材をビビリ音の発生箇所に取付けることが不要となり、ビビリ音の検討に要する時間も短縮されるので、設計効率が向上する利点もある。
【００３６】
以上、代表的な実施形態を挙げて本発明のスピーカー固定構造を説明したが、本発明はこの実施形態のみに限定されるものではなく、例えば、クッション材５Ａをスピーカーボックス１ａの正面１ｂの円形開口部１ｃを除いて正面１ｂのほぼ全域に貼着する構成としたり、クッション材５Ｂもマグネット１ｆを除いて背面１ｅのほぼ全域に貼着する構成とするなど、種々の設計的変更を許容し得ることは言うまでもない。
【符号の説明】
【００３７】
１    スピーカー
１ａ  スピーカーボックス
１ｂ  スピーカーボックスの正面
１ｅ  スピーカーボックスの背面
１ｇ  突起挿入部
１ｈ  筒状緩衝材
２    液晶テレビ
３    液晶表示モジュール
３ａ  液晶表示モジュールのリアフレーム
３ｂ  位置決め突起
４    リアキャビネット
４ｃ  凸リブ
４ｄ  十字形リブ
５Ａ  スピーカーボックスの正面に貼着されたクッション材
５Ｂ  スピーカーボックスの背面に貼着されたクッション材
【図１】
0005195985.tif 000002
【図２】
0005195985.tif 000003
【図３】
0005195985.tif 000004
【図４】
0005195985.tif 000005
【図５】
0005195985.tif 000006
【図６】
0005195985.tif 000007